(57)【要約】　　　（修正有）【課題】内燃機関の燃焼室気体に電場を加えて、燃焼室気体中に流れる荷電体電流を検出する事が可能な装置を備えた点火装置に於いて、点火性能向上を図るため、点火用変圧器と点火栓を用いて内燃機関の燃焼室気体にメガヘルツの交番電場を加える事を可能にした、点火装置及び荷電体電流検出装置。【解決手段】１、点火栓の中芯電極３１には点火用変圧器の２次巻線２７のみの接続とし、接続部と接地間の浮遊静電容量を小さくする。２、燃焼室気体に加える電場は、電気エネルギーの大きいメガヘルツの交番電場を加える。【選択図】　　　　図１
2004084650.tif 000002
【特許請求の範囲】
【請求項１】
点火用変圧器と点火栓の中芯電極を用いて内燃機関の燃焼室気体に電場を加える事が可能な装置で、点火用変圧器２５２に電場用交番波挿入回路２４６と接地端子回路２５５を接続、若しくは電場用交番波挿入回路２４６を接続して、点火用変圧器２５２と点火栓の中芯電極３１を用いて内燃機関の燃焼室気体に交番電場を加える事が可能な装置。
【請求項２】
短絡電流調整用抵抗器２４５を接続した点火用高電圧制御回路２１７を用いた装置。
【請求項３】
請求項１の装置で、従来の交番電場の周波数で有る数１０キロヘルツの周波数よりも低い周波数からメガヘルツの周波数に渡り、意図する周波数の交番電場を内燃機関の燃焼室気体に加える事が可能な装置。
【発明の詳細な説明】
【０００１】
【発明の属する技術分野】内燃機関の点火装置及び内燃機関の燃焼室気体中に流れる荷電体電流を検出する装置に関する。
【０００２】
【従来の技術】内燃機関の燃焼室気体に電場を加えて燃焼室気体中に流れる荷電体電流を検出する荷電体電流検出装置に於ける従来の技術の参考資料として、日本国公開特許公報の特開平１０−６１５４０を参照すると共に、本発明の図１及び図２を参照すると、前記特開平１０−６１５４０の図１及び図２に於ける装置は、点火栓を用いた各内燃機関の荷電体電流検出装置として、広く用いることを可能にすることも発明の目的の一つであった、しかし、前記特開平１０−６１５４０の図１及び図２に於ける装置は、内燃機関の燃焼室気体に電場を加える部分に於いて、点火用高電圧の電気エネルギーが消費され、点火性能向上に対し不利な傾向がある。
【０００３】
【発明が解決しようとする課題】内燃機関の燃焼室気体に電場を加える部分に於いて、出来るだけ点火用高電圧の電気エネルギーが消費されないようにする。
【０００４】前記の課題を解決する為に用いる点火用変圧器に起因する新たな課題として、点火用変圧器の各巻線の線輪の値と各巻線の浮遊静電容量の値及び各巻線の抵抗値、そして変圧器を構成する材質などに起因する影響で、特に周波数に関する影響が著しく、周波数に関する諸特性の劣化を招く。
【０００５】
【課題を解決するための手段】特開平１０−６１５４０の図１及び図２と本発明の図１及び図２を参照すると、本発明の図１及び図２の点火栓の中芯電極３１には点火用変圧器の２次巻線２７のみの接続、即ち点火用変圧器の２次巻線高電圧端子２５３と点火栓の中芯電極３１とを接続し、そして、点火用変圧器の２次巻線高電圧端子２５３と点火栓の中芯電極３１の接続部と、接地間の浮遊静電容量を出来るだけ小さくする事に因り、前記接続部に於ける点火用高電圧の電気エネルギー消費の低減を図る。
【０００６】又、内燃機関の燃焼室気体中に流れる荷電体電流の検出を可能にする為、点火栓の中芯電極３１に電場用交番波を加えるが、従来の技術に因る電場用交番波は数１０キロヘルツの電場用交番波を用いていた。
【０００７】しかし本発明では、従来の技術に因る電場用交番波の周波数よりも低い周波数の電場用交番波からメガヘルツの周波数の電場用交番波に渡り、意図する周波数の電場用交番波を点火栓の中芯電極３１に加えることが可能である。
【０００８】従って、従来の技術に因る電場用交番波よりも電気エネルギーの大きいメガヘルツの電場用交番波を点火栓の中芯電極３１に加えることで、電場電極である点火栓の中芯電極３１と燃焼室体３７の両電場電極間の燃焼室気体にメガヘルツの交番電場が加えられる。
【０００９】そして、内燃機関の燃焼室気体中に偶然存在している自由電子及び荷電体が前記両電場電極間に加えられた交番電場の電界の方向に移動する事に因り、前記両電場電極間の燃焼室気体中に流がれる僅かな電流が、点火火花放電を引き起こす誘因電流として作用し、点火火花放電を引き起こし易くする。
【００１０】点火用変圧器２５２に起因する影響で劣化した周波数に関する諸特性の改善は、点火用変圧器２５２に接続した電場用交番波挿入回路２４６及び点火用高電圧制御回路２１７の短絡電流調整用抵抗器２４５に因り改善する。
【００１１】
【発明の実施の形態】本発明の図１を参照して説明すると、点火装置本体１の外部には点火用変圧器２５２と接地端子回路２５５があり、点火用変圧器２５２の形状は従来から一般に用いられている各点火用変圧器と略同様で有る。
【００１２】また、接地端子回路２５５の大きさは約１．５立方センチ程度の小さな形をしている。従って、接地端子回路２５５は点火用変圧器２５２と一緒に一体成形が可能である。此の場合、前記従来の各点火用変圧器の形状と異なる。
【００１３】
【実施例】本発明の図１及び図２に基づいて本発明の実施例に就いて説明する。
【００１４】本発明の図１に於いて、１は点火装置本体であり、点火装置本体１に有る物で２は電場用交番波発生器、４は点火用蓄電器の充電回路、５は点火用蓄電器、２１７は点火用高電圧制御回路、３４は水晶振動子、１４３は前置増幅器、４２は導電線、３は濾波器、４４は出力端子、２４６は電場用交番波挿入回路であり、電場用交番波挿入回路２４６は電場用交番波挿入用並列共振変圧器２４７と並列共振器２４８及び直列共振器２４９、そして開閉素子２５０と保護用整流器２５１等で構成されていて点火用変圧器の１次巻線２６に接続している。
【００１５】本発明の実施に於いて、電場用交番波挿入用並列共振変圧器２４７及び並列共振器２４８と直列共振器２４９の共振周波数は、電場用交番波発生器２から導電線３５を経て電場用交番波挿入回路２４６に入る電場用交番波の周波数と略同じ周波数にしてある。
【００１６】前記の電場用交番波挿入用並列共振変圧器２４７及び並列共振器２４８の共振インピーダンス（以後、共振インピーダンスのことを共振抵抗と呼ぶ。）は、電場用交番波挿入用並列共振変圧器２４７及び並列共振器２４８が電場用交番波の周波数には共振して高い値の共振抵抗と成り、その高い値の共振抵抗は、点火用変圧器の１次巻線２６の電場用交番波の電気エネルギーが、点火用変圧器の１次巻線２６を経る電場用交番波挿入回路２４６に於いて少ない消費と成るように働く。
【００１７】また、直列共振器２４９は電場用交番波には共振して、直列共振器２４９の共振抵抗は低い値の共振抵抗と成り、直列共振器２４９は電場用交番波に関して、電場用交番波挿入用並列共振変圧器２４７と並列共振器２４８との短絡路を形成する、そして電場用交番波挿入回路２４６と点火用変圧器の１次巻線２６を繋ぐことで、点火用変圧器の１次巻線２６を経る電場用交番波挿入回路２４６に電場用交番波に関する電気回路が形成される。
【００１８】尚、開閉素子２５０には電界効果形半導体開閉制御素子を用いていて、開閉素子２５０は点火装置本体１の制御回路に因り制御されている。
【００１９】実施例では周波数約１メガヘルツ、波高値１００ボルト以上の交番電場を燃焼室気体に加える事が可能で有るが、波高値は約３０ボルト程度に抑えている。
【００２０】電場用交番波発生器２から約１メガヘルツの電場用交番波が、導電線３５を経て電場用交番波挿入回路２４６の電場用交番波挿入用並列共振変圧器２４７に入り、電場用交番波挿入用並列共振変圧器２４７に於いて、約１メガヘルツの電場用交番波は意図する電圧値に変圧され、点火用変圧器の１次巻線２６に入り、点火用変圧器２５２に於いて変圧され、点火用変圧器の２次巻線高電圧端子２５３及び点火栓の中芯電極３１と接地間、即ち、電場電極としての点火栓の中芯電極３１と電場電極としての燃焼室体３７間に、変圧された約１メガヘルツの電場用交番波が得られ、点火栓の中芯電極３１と燃焼室体３７の両電場電極間の燃焼室気体に約１メガヘルツの交番電場が加わる。
【００２１】点火用変圧器の２次巻線接地側端子２５４に接続の接地端子回路２５５に於いて、接地端子回路２５５の直列共振器２５６の共振周波数は、点火用変圧器の２次巻線接地側端子２５４に生じた電場用交番波の周波数と略同じ周波数にしてあり、点火用変圧器の２次巻線接地側端子２５４に生じた電場用交番波が、接地端子回路２５５の直列共振器２５６に加わると、接地端子回路２５５の直列共振器２５６は電場用交番波の周波数に共振して、接地端子回路２５５の直列共振器２５６の共振抵抗は低い値の共振抵抗と成り、接地端子回路２５５の直列共振器２５６に加わった電場用交番波の電気エネルギーは、接地端子回路２５５の直列共振器２５６の低い値の共振抵抗に因り消費されて減衰する。
【００２２】従って、点火用変圧器の２次巻線接地側端子２５４に生じた電場用交番波の電圧波は減衰する。
【００２３】また、点火用変圧器の２次巻線接地側端子２５４に生じた点火用高電圧は、点火用変圧器の２次巻線接地側端子２５４に接続した接地端子回路２５５の定電圧整流器２５７と整流器２５８及び定電圧整流器２５９と整流器２６０に因り、意図した電圧値に抑えられる。
【００２４】実施例では、点火用変圧器の２次巻線接地側端子２５４に生じた点火用高電圧を、正負約６ボルト程度以下の電圧値に抑えている。
【００２５】そして、接地端子回路２５５の保護抵抗器２６１と蓄電器２６２で、電場用交番波の周波数を含む電圧波で、意図する周波数以上の周波数の電圧波を減衰させている。
【００２６】接地端子回路２５５から出た電圧波は、荷電体電流波及び荷電体電流検出の妨げになる妨害波である正負約６ボルト程度以下に抑えられた点火用高電圧波と減衰した電場用交番波、そして分極電流波などの電圧波が混ざりあった混合波である。
【００２７】接地端子回路２５５から出た電圧波、即ち混合波は前置増幅器１４３に入り前置増幅器１４３に於いて、妨害波である正負約６ボルト程度以下に抑えられた点火用高電圧波が主に減衰して、前置増幅器１４３から妨害波の減衰した混合波が導電線４２を経て濾波器３に入る。
【００２８】そして、濾波器３に於いて、濾波器３に入った前記混合波から分極電流と電場用交番波などが除去されると共に、妨害波も更に減衰して妨害波の影響の少ない荷電体電流波が得られ、濾波器３から荷電体電流に因る電圧波を出力端子４４に送出する。
【００２９】メガヘルツの電場用交番波を用いた本発明の実施において、点火時期及び点火火花放電をしている期間、点火用蓄電器５から点火用高電圧制御回路２１７及び電場用交番波挿入回路２４６と点火用変圧器の１次巻線２６を経る回路に点火用蓄電器５の放電電流が流れるが、電場用交番波挿入回路２４６の電場用交番波挿入用並列共振変圧器２４７及び並列共振器２４８の線輪の値、そして直列共振器２４９の蓄電器の静電容量の値は、点火用変圧器の１次巻線２６の線輪の値及び点火用変圧器の１次巻線２６の浮遊静電容量の値と比べると充分に小さいので、電場用交番波挿入用並列共振変圧器２４７及び並列共振器２４８並び直列共振器２４９が、点火用蓄電器５の放電電流の流れを妨げる事は殆ど無い。
【００３０】また、本発明に於いては点火用高電圧制御回路２１７の点火用高電圧抑止用開閉素子１９と保護用整流器２３の接続部と、点火用高電圧抑止用開閉素子２０と保護整流器２４の接続部とを、短絡電流調整用抵抗器２４５を介して接続した事に因って、短絡電流調整用抵抗器２４５の抵抗値を意図する値にして点火用変圧器の１次巻線２６を短絡する事に因り、点火用変圧器の１次巻線２６の短絡時に点火用変圧器の１次巻線２６に流れる電流を、意図する電流値に調整出来る様にした。
【００３１】そこで、荷電体電流波が流れる点火用変圧器の２次巻線２７に点火用変圧器２５２の入力波として荷電体電流波が流れると、点火用変圧器の１次巻線２６と電場用交番波挿入回路２４６及び、点火用高電圧制御回路２１７の短絡電流調整用抵抗器２４５を経る回路に変圧された荷電体電流波が流れる。
【００３２】此の場合に於いては、前記の短絡電流調整用抵抗器２４５は点火用変圧器の１次巻線２６の負荷抵抗となるので、従って短絡電流調整用抵抗器２４５の抵抗値を変化させれば点火用変圧器の１次巻線２６に流れる電流値が変化し、点火用変圧器の２次巻線２７に流れる電流値も変化する。
【００３３】此の様にして、短絡電流調整用抵抗器２４５の抵抗値を意図する値にする事に因り、点火用変圧器の２次巻線２７に流れる荷電体電流波の電流値を意図する値にすることが可能に成る。
【００３４】従って、点火用変圧器の２次巻線２７を経て流れる荷電体電流波は、点火用変圧器の２次巻線２７を荷電体電流波が流れている時に、荷電体電流波は点火用変圧器２５２と短絡電流調整用抵抗器２４５の影響を受ける事になる。
【００３５】そこで点火用変圧器２５２の各巻線の線輪の値と各巻線の浮遊静電容量の値及び各巻線の抵抗値、そして変圧器を構成する材質などに起因する影響で、特に周波数に関する影響が著しく、周波数に関する諸特性の劣化を招く事に成る。
【００３６】しかし、本発明では前記の事柄を利用して、点火用変圧器の２次巻線２７を経て流れる荷電体電流波の周波数に対する荷電体電流波の電圧特性を改善する事が、点火用高電圧制御回路２１７の短絡電流調整用抵抗器２４５の抵抗値を調整する事に因り可能である。
【００３７】
【発明の効果】１、本発明の荷電体電流検出に用いる点火装置は、内燃機関の燃焼室気体に交番電場を加えながら点火をしても、荷電体電流の検出に用いない従来の点火装置の点火性能に劣らない点火性能を得る事ができる。
２、メガヘルツの電場用交番波を用いる事が出来るので、電場用交番波に関する部品の形状を小形に出来る。
３、点火用変圧器の２次巻線を経て流れる荷電体電流波の周波数に対する荷電体電流波の電圧特性を改善する事が可能で有る。
【図面の簡単な説明】
【図１】本発明の説明図。
【図２】本発明の実施例図。
【符号の説明】
１　点火装置本体
２　電場用交番波発生器
３　濾波器
４　点火用蓄電器の充電回路
５　点火用蓄電器
１８　点火用蓄電器の放電用開閉素子
１９　点火用高電圧抑止用開閉素子
２０　点火用高電圧抑止用開閉素子
２１　保護用整流器
２２　保護用整流器
２３　保護用整流器
２４　保護用整流器
２５　保護用整流器
２６　点火用変圧器の１次巻線
２７　点火用変圧器の２次巻線
３１　点火栓の中芯電極
３２　点火栓の電極間
３４　水晶振動子
３５　導電線
３７　燃焼室体
４２　導電線
４４　出力端子
１４３　前置増幅器
２１７　点火用高電圧制御回路
２４５　短絡電流調整用抵抗器
２４６　電場用交番波挿入回路
２４７　電場用交番波挿入用並列共振変圧器
２４８　並列共振器
２４９　直列共振器
２５０　開閉素子
２５１　保護用整流器
２５２　点火用変圧器
２５３　点火用変圧器の２次巻線高電圧端子
２５４　点火用変圧器の２次巻線接地側端子
２５５　接地端子回路
２５６　直列共振器
２５７　定電圧整流器
２５８　整流器
２５９　定電圧整流器
２６０　整流器
２６１　保護抵抗器
２６２　蓄電器
【図１】
2004084650.tif 000003
【図２】
2004084650.tif 000004